【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
フレーム毎に入力音声の音響特徴量を抽出する特徴量抽出部と、
前記音響特徴量を記憶する特徴量記憶部と、
複数の周波数変換係数を用いて、それぞれの周波数変換係数毎に前記音響特徴量を周波数変換して複数の変換後特徴量を出力する周波数変換部と、
前記フレーム毎に、前記複数の変換後特徴量と標準音韻の標準音韻モデルとの全ての組み合わせで前記変換後特徴量と前記標準音韻モデルとの類似度又は距離を算出する類似度乃至距離算出部と、
前記算出された複数の類似度又は距離を用いて前記入力音声を正規化するための周波数変換条件を決定する周波数変換条件決定部と、
単語モデルを用いて音声認識する音声認識処理部と、を備え、
前記周波数変換部は、前記周波数変換条件決定部によって決定された周波数変換条件を用いて前記特徴量記憶部に記憶された前記音響特徴量を周波数変換し、
前記音声認識処理部は、前記周波数変換条件を用いて周波数変換された前記音響特徴量と前記単語モデルを用いて音声認識をする、音声認識装置。
【請求項２】
前記周波数変換条件決定部は、前記算出された複数の類似度又は距離から標準音韻と当該標準音韻の中で最も類似度の高い周波数変換係数とをフレーム毎に選定し、当該選定された結果を用いて最尤となる標準音韻および当該標準音韻に対応する周波数変換係数の組み合わせを前記フレーム毎に選定し、前記周波数変換係数の出現頻度を複数フレームに渡って周波数変換係数毎に累積し、前記出現頻度の最も多い周波数変換係数を全フレームに渡る周波数変換係数とする、請求項１に記載の音声認識装置。
【請求項３】
前記周波数変換条件決定部は、
前記算出された複数の類似度又は距離から標準音韻と当該標準音韻の中で最も類似度の高い周波数変換係数とをフレーム毎に選定し、前記最も類似度の高い周波数変換係数の出現頻度を複数フレームに渡って標準音韻毎に累積し、前記出現頻度が最も多い周波数変換係数を全フレームに渡る標準音韻に対応する周波数変換係数とし、
かつ、フレーム毎にフレームを代表する代表標準音韻を決定し、
前記周波数変換部は、
前記決定された代表標準音韻を用いて前記全フレームに渡る標準音韻に対応する周波数変換係数をフレーム毎に選択し、当該選択された周波数変換を用いて前記音響特徴量をフレーム毎に周波数変換する、
請求項１に記載の音声認識装置。
【請求項４】
前記周波数変換条件決定部は、
前記算出された複数の類似度又は距離から標準音韻と当該標準音韻の中で最も類似度の高い周波数変換係数とをフレーム毎に選定し、前記最も類似度の高い周波数変換係数の出現頻度を複数フレームに渡って標準音韻毎に累積し、前記出現頻度が最も多い周波数変換係数を全フレームに渡る標準音韻に対応する周波数変換係数とし、
かつ、前記算出された複数の類似度又は距離から標準音韻毎に重みを各フレームで算出し、
前記周波数変換部は、
前記全フレームに渡る標準音韻に対応する周波数変換係数と標準音韻毎の重みを用いて前記音響特徴量をフレーム毎に周波数変換する、
請求項１に記載の音声認識装置。
【請求項５】
前記標準音韻は母音である請求項１から４までのいずれか一つに記載の音声認識装置。
【請求項６】
前記標準音韻は母音のみである請求項１から４までのいずれか一つに記載の音声認識装置。
【請求項７】
前記入力音声を取り込むマイクロフォンと、前記入力音声が入力される請求項１から６までのいずれかに一つに記載の音声認識装置と、前記音声認識装置からの認識結果である操作対象装置に対して操作信号を発信する信号発生装置とを有する、音声リモコン装置。
【請求項８】
特徴量抽出部が、フレーム毎に入力音声の音響特徴量を抽出する特徴量抽出ステップと、
前記音響特徴量を特徴量記憶部に記憶する特徴量記憶ステップと、
周波数変換が、複数の周波数変換係数を用いて、それぞれの周波数変換係数毎に前記音響特徴量を周波数変換して複数の変換後特徴量を出力する周波数変換ステップと、
類似度乃至距離算出部が、前記フレーム毎に、前記複数の変換後特徴量と標準音韻の標準音韻モデルとの全ての組み合わせで前記変換後特徴量と前記標準音韻モデルとの類似度又は距離を算出する類似度乃至距離算出ステップと、
周波数変換条件決定部が、前記算出された複数の類似度又は距離を用いて前記入力音声を正規化するための周波数変換条件を決定する周波数変換条件決定ステップと、
音声認識処理部が単語モデルを用いて音声認識する音声認識処理ステップと、を含み、
前記周波数変換ステップは、前記周波数変換条件決定ステップによって決定された周波数変換条件を用いて前記特徴量記憶部に記憶された前記音響特徴量を周波数変換し、
前記音声認識処理ステップは、前記周波数変換条件を用いて周波数変換された前記音響特徴量と前記単語モデルを用いて音声認識をする、音声認識方法。
【手続補正２】
【補正対象書類名】明細書
【補正対象項目名】０００８
【補正方法】変更
【補正の内容】
【０００８】
上記課題を解決するために、本願の音声認識装置は、フレーム毎に入力音声の音響特徴量を抽出する特徴量抽出部と、前記音響特徴量を記憶する特徴量記憶部と、複数の周波数変換係数を用いて、それぞれの周波数変換係数毎に前記音響特徴量を周波数変換して複数の変換後特徴量を出力する周波数変換部と、前記フレーム毎に、前記複数の変換後特徴量と標準音韻の標準音韻モデルとの全ての組み合わせで前記変換後特徴量と前記標準音韻モデルとの類似度又は距離を算出する類似度乃至距離算出部と、前記算出された複数の類似度又は距離を用いて前記入力音声を正規化するための周波数変換条件を決定する周波数変換条件決定部と、単語モデルを用いて音声認識する音声認識処理部と、を備え、前記周波数変換部は、前記周波数変換条件決定部によって決定された周波数変換条件を用いて前記特徴量記憶部に記憶された前記音響特徴量を周波数変換し、前記音声認識処理部は、前記周波数変換条件を用いて周波数変換された前記音響特徴量と前記単語モデルを用いて音声認識をする。
【手続補正３】
【補正対象書類名】明細書
【補正対象項目名】０００９
【補正方法】変更
【補正の内容】
【０００９】
好ましい実施形態として、前記周波数変換条件決定部は、前記算出された複数の類似度又は距離から標準音韻と当該標準音韻の中で最も類似度の高い周波数変換係数とをフレーム毎に選定し、当該選定された結果を用いて最尤となる標準音韻および当該標準音韻に対応する周波数変換係数の組み合わせを前記フレーム毎に選定し、前記周波数変換係数の出現頻度を複数フレームに渡って周波数変換係数毎に累積し、前記出現頻度の最も多い周波数変換係数を全フレームに渡る周波数変換係数とする。
【手続補正４】
【補正対象書類名】明細書
【補正対象項目名】００１０
【補正方法】変更
【補正の内容】
【００１０】
好ましい実施形態として、前記周波数変換条件決定部は、前記算出された複数の類似度又は距離から標準音韻と当該標準音韻の中で最も類似度の高い周波数変換係数とをフレーム毎に選定し、前記最も類似度の高い周波数変換係数の出現頻度を複数フレームに渡って標準音韻毎に累積し、前記出現頻度が最も多い周波数変換係数を全フレームに渡る標準音韻に対応する周波数変換係数とし、かつ、フレーム毎にフレームを代表する代表標準音韻を決定し、前記周波数変換部は、前記決定された代表標準音韻を用いて前記全フレームに渡る標準音韻に対応する周波数変換係数をフレーム毎に選択し、当該選択された周波数変換を用いて前記音響特徴量をフレーム毎に周波数変換する。
【手続補正５】
【補正対象書類名】明細書
【補正対象項目名】００１１
【補正方法】変更
【補正の内容】
【００１１】
好ましい実施形態として、前記周波数変換条件決定部は、前記算出された複数の類似度又は距離から標準音韻と当該標準音韻の中で最も類似度の高い周波数変換係数とをフレーム毎に選定し、前記最も類似度の高い周波数変換係数の出現頻度を複数フレームに渡って標準音韻毎に累積し、前記出現頻度が最も多い周波数変換係数を全フレームに渡る標準音韻に対応する周波数変換係数とし、かつ、前記算出された複数の類似度又は距離から標準音韻毎に重みを各フレームで算出し、前記周波数変換部は、前記全フレームに渡る標準音韻に対応する周波数変換係数と標準音韻毎の重みを用いて前記音響特徴量をフレーム毎に周波数変換する。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
好ましい実施形態として、前記標準音韻は母音である。これによって、周波数変換を行う対象として、少なくとも最も信頼性の高い母音の情報を、必ず利用して全区間の周波数変換条件を決定することになるため、決定された周波数変換条件の信頼度も、より高いものにすることができる。
【手続補正８】
【補正対象書類名】明細書
【補正対象項目名】００１４
【補正方法】変更
【補正の内容】
【００１４】
好ましい実施形態として、前記標準音韻は母音のみである。これによって、周波数変換を行う対象として、最も信頼性の高い母音の情報を利用して全区間の周波数変換条件を決定することになるため、決定された周波数変換条件の信頼度を、より高いものにすることができ、かつ標準音韻モデルのデータ量を少なく抑えることができる。
【手続補正９】
【補正対象書類名】明細書
【補正対象項目名】００１５
【補正方法】変更
【補正の内容】
【００１５】
好ましい実施形態として、音声リモコン装置は、前記入力音声を取り込むマイクロフォンと、前記入力音声が入力される上記に記載のいずれかに一つの音声認識装置と、前記音声認識装置からの認識結果である操作対象装置に対して操作信号を発信する信号発生装置とを有する。
【手続補正１０】
【補正対象書類名】明細書
【補正対象項目名】００１６
【補正方法】変更
【補正の内容】
【００１６】
本発明の音声認識方法は、特徴量抽出部が、フレーム毎に入力音声の音響特徴量を抽出する特徴量抽出ステップと、前記音響特徴量を特徴量記憶部に記憶する特徴量記憶ステップと、周波数変換が、複数の周波数変換係数を用いて、それぞれの周波数変換係数毎に前記音響特徴量を周波数変換して複数の変換後特徴量を出力する周波数変換ステップと、類似度乃至距離算出部が、前記フレーム毎に、前記複数の変換後特徴量と標準音韻の標準音韻モデルとの全ての組み合わせで前記変換後特徴量と前記標準音韻モデルとの類似度又は距離を算出する類似度乃至距離算出ステップと、周波数変換条件決定部が、前記算出された複数の類似度又は距離を用いて前記入力音声を正規化するための周波数変換条件を決定する周波数変換条件決定ステップと、音声認識処理部が単語モデルを用いて音声認識する音声認識処理ステップと、を含み、前記周波数変換ステップは、前記周波数変換条件決定ステップによって決定された周波数変換条件を用いて前記特徴量記憶部に記憶された前記音響特徴量を周波数変換し、前記音声認識処理ステップは、前記周波数変換条件を用いて周波数変換された前記音響特徴量と前記単語モデルを用いて音声認識をする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００９１
【補正方法】変更
【補正の内容】
【００９１】
次に、音声認識処理部２０９は、結果蓄積部２０６から各フレームの変換係数と重みの関係を読み出し、この変換係数に対応する重みを、ステップＳ７０３で得られた変換後特徴量に掛け算する。この処理を、順次、変換条件判定部２０７から通知される変換係数全てについて行い合算する（ステップＳ７０４）。この算出は、（式６）により行うことができる。